(57)【要約】【課題】  本発明は、内部犯罪等（犯罪の動機付け）を抑止できる入出金機監視システムを提供する。【解決手段】  売上入金機Ｙの上方に定点監視カメラを設置する。定点監視カメラ１は、撮影範囲について、売上入金機Ｙ周囲を含む売上入金機Ｙに設定する。定点監視カメラ１は映像処理装置３に接続する。映像処理装置３において、映像制御手段２１は、定点監視カメラ１のライブ映像を入力して、映像表示装置５に送信（出力）する。映像制御手段１２は、ライブ映像を録画像として映像記憶手段２２に記憶する。映像制御手段２１は、記録画像を映像記憶手段２２から読み出して、映像表示装置５に送信（出力）する。映像表示装置５は、ライブ映像、録画像を受信すると、定点監視カメラ１のライブ映像、録画像を表示する。【選択図】  図１
2015104103.tif 000002
【特許請求の範囲】
【請求項１】
店舗等の建造物に設置され、売上金を入金又は現金を入出金する入出金機において、
前記入出金機を監視する入出金機監視システムであって、
一定の撮影範囲の映像を出力する定点監視カメラと、
前記定点監視カメラに接続され、前記撮影範囲の映像を処理する映像処理装置と、
前記映像処理装置に接続され、前記撮影範囲の映像を表示する映像表示装置と、
を含んで構成され、
前記定点監視カメラは、
前記入出金機の上方に設置され、
前記撮影範囲について、前記入出金機周囲を含む前記入出金機に設定し、
前記映像処理装置は、
映像記憶手段と、
前記定点監視カメラのライブ映像を入力し、録画像として前記映像記憶手段に記憶する映像制御手段と、を備え、
前記映像制御手段は、
前記定点監視カメラのライブ映像を前記映像表示装置に送信し、前記映像記憶手段から前記定点監視カメラの録画像を読み出して前記映像表示装置に送信し、
前記映像表示装置は、
前記ライブ映像、前記録画像を受信して表示する
ことを特徴とする入出金機監視システム。
【請求項２】
カメラ設置ラックを含んで構成され、
前記カメラ設置ラックは、
前記入出金機の上方に配置されるラック本体と、
前記ラック本体を支持し、前記建造物に取付けられるラック支持体と、
を備え、
前記定点監視カメラは、
前記ラック本体及び前記入出金機の間に配置され、
前記ラック本体は、
前記定点監視カメラを支持して、前記入出金機の上方に設置する
ことを特徴とする請求項１に記載の入出金機監視システム。
【請求項３】
前記映像処理装置は、
前記ラック本体に設置される
ことを特徴とする請求項２に記載の入出金機監視システム。
【請求項４】
前記定点監視カメラの映像を閲覧する映像閲覧端末を含んで構成され、
前記映像閲覧端末は、
前記映像処理装置にネットワークを通して接続され、
前記映像処理装置において、
前記映像制御手段は、
前記定点監視カメラのライブ映像を前記映像閲覧端末に送信し、前記映像記憶手段から前記定点監視カメラの録画像を読み出して前記映像閲覧端末に送信し、
前記映像閲覧端末は、
前記ライブ映像、前記録画像を受信して表示する
ことを特徴とする請求項１乃至３の何れかに記載の入出金機監視システム。
【発明の詳細な説明】
【技術分野】
【０００１】
本発明は、店舗、駅等の建造物に設置され、売上金（紙幣、硬貨）を入金又は現金を入出金する入出金機において、入出金機を監視する入出金機監視システムに関する。
【背景技術】
【０００２】
売上入金機として、特許文献１は、表示操作部、紙幣入金処理部、硬貨入金処理部、紙幣カセット、硬貨カセット及び保管庫等を備える売上金入金機を開示する。店舗側管理者は、売上金（紙幣、硬貨）を各入金処理部に入金（投入）する。売上金入金機は、紙幣及び硬貨の判別を行った後、紙幣カセット、硬貨カセットに収納する。店舗等で必要な釣銭準備金は保管庫に収納される。
【０００３】
特許文献１において、警備会社は、一定期間毎に紙幣カセット及び硬貨カセットを交換して売上金を回収する。
特許文献１において、店舗側管理者は、一旦入金した売上金を売上金入金機から取出せない。店舗側管理者は、必要に応じて保管庫から釣銭準備金を取出せる。
【０００４】
しかし、特許文献１では、店舗側管理者、店舗側従業員の内部犯罪等を十分に抑止できない。例えば、店舗側管理者、店舗側従業員は、保管庫から釣銭準備金を取出して窃取できる。
【先行技術文献】
【特許文献】
【０００５】
【特許文献１】特開２００５−２７６０８２号公報
【発明の概要】
【発明が解決しようとする課題】
【０００６】
本発明は、内部犯罪等（犯罪の動機付け）を抑止できる入出金機監視システムを提供することにある。
【課題を解決するための手段】
【０００７】
本発明に係る請求項１は、店舗等の建造物に設置され、売上金を入金又は現金を入出金する入出金機において、前記入出金機を監視する入出金機監視システムであって、一定の撮影範囲の映像を出力する定点監視カメラと、前記定点監視カメラに接続され、前記撮影範囲の映像を処理する映像処理装置と、前記映像処理装置に接続され、前記撮影範囲の映像を表示する映像表示装置とを含んで構成され、前記定点監視カメラは、前記入出金機の上方に設置され、前記定点監視カメラは、前記入出金機の上方に設置され、前記撮影範囲について、前記入出金機周囲を含む前記入出金機に設定し、前記映像処理装置は、映像記憶手段と、前記定点監視カメラのライブ映像を入力し、録画像として前記映像記憶手段に記憶する映像制御手段とを備え、前記映像制御手段は、前記定点監視カメラのライブ映像を前記映像表示装置に送信し、前記映像記憶手段から前記定点監視カメラの録画像を読み出して前記映像表示装置に送信し、前記映像表示装置は、前記ライブ映像、前記録画像を受信して表示することを特徴とする入出金機監視システムである。
【０００８】
本発明に係る請求項２は、カメラ設置ラックを含んで備え、前記カメラ設置ラックは、前記入出金機の上方に配置されるラック本体と、前記ラック本体を支持し、前記建造物に取付けられるラック支持体とを備え、前記定点監視カメラは、前記ラック本体及び前記入出金機の間に配置され、前記ラック本体は、前記定点監視カメラを支持して、前記入出金機の上方に設置することを特徴とする請求項１に記載の入出金機監視システムである。
【０００９】
本発明に係る請求項３は、前記映像処理装置は、前記ラック本体に設置されることを特徴とする請求項２に記載の入出金機監視システムである。
【００１０】
本発明に係る請求項４は、前記定点監視カメラの映像を閲覧する映像閲覧端末を含んで備え、前記映像閲覧端末は、前記映像処理装置にネットワークを通して接続され、前記映像処理装置において、前記映像制御手段は、前記定点監視カメラのライブ映像を前記映像閲覧端末に送信し、前記映像記憶手段から前記定点閲覧カメラの録画像を読み出して前記映像閲覧端末に送信し、前記映像閲覧端末は、前記ライブ映像、前記録画像を受信して表示することを特徴とする請求項１乃至３の何れかに記載の入出金機監視システムである。
【発明の効果】
【００１１】
本発明に係る請求項１では、定点監視カメラは、入出金機の上方から撮影範囲の映像を出力する。定点監視カメラにおいて、撮影範囲は、入出金機周囲を含む入出金機に設定される。映像処理装置において、映像制御手段は、定点監視カメラのライブ映像を入力し、ライブ映像を映像表示装置に送信し、ライブ映像を録画像として映像記憶手段に記憶する。映像制御手段は、映像記憶手段から定点監視カメラの録画像を読み出して映像表示装置に送信する。映像表示装置は、ライブ映像、録画像を表示する。
これにより、入出金機は常に監視されるので、犯罪等の動機付けを抑止できる。店舗等の管理者（経営者）は、入出金機について、ライブ映像、及び過去の映像（録画像）を閲覧でき、入出金機の状態を視認できる。また、ライブ映像、録画像から犯罪を特定（犯行時間、犯人等）できる。
更に、既に店舗等の建造物に設置した入出金機に対して、定点監視カメラを入出金機の上方に設置し、加えて映像処理装置及び映像表示装置を用意するだけで、入出金機を監視できる。また、店舗等の建造物に新たに入出金機を設置する際も、同様に、定点監視カメラを入出金機の上方に設置し、加えて映像処理装置及び映像表示装置を用意するだけで、入出金機を常に監視できる。
なお、定点監視カメラは、パン、チルト（画角）を調整できるものを採用でき、入出金機のサイズに応じて撮影範囲を設定できる。
また、定点監視カメラの撮影範囲は、特に、入出金機に売上金を入金又は現金を入出金する機器（例えば、入金操作部、紙幣投入部、貨幣投入部）及び金銭準備金を取出す機器（例えば、釣銭準備金の保管庫）等、及びこれらの入出金機周囲に設定することが好ましい。
入出金機としては、売上金を入金する売上入金機、又は売上金等の現金を入出金する現金入出金機を採用できる。
【００１２】
本発明に係る請求項２では、カメラ設置ラックを入出金機の上方に配置して、ラック支持体を店舗等の建造物に取付ける。これにより、ラック本体は、入出金機の上方に配置され、定点監視カメラを入出金機の上方に設置できる。特に、店舗等において、入出金機は、建造物の壁際に設置され、ラック支持体を建造物の壁に取付けるだけで、定点監視カメラを入出金機の上方に設置できる。
また、店舗等に既に設置した入出金機に対し、ラック支持体を建造物（例えば、建造物の壁）に取付けるだけで、定点監視カメラを設置でき、加えて映像処理装置及び映像表示装置を用意するだけで、入出金機を常に監視できる。
更に、入出金機を新たに店舗等の建造物に設置する際も、同様に、ラック支持体を建造物に取付けるだけで、定点監視カメラを入出金機の上方に設置でき、加えて映像処理装置及び映像表装置を用意するだけで、入出金機を常に監視できる。
【００１３】
本発明に係る請求項３では、映像処理装置をラック本体に設置するので、映像処理装置は、入出金機の上方に位置するデッドスペースに収納でき、映像処理装置の収納スペースを別途設ける必要がない。
【００１４】
本発明に係る請求項４では、映像閲覧端末は、ネットワーク（例えば、インターネット）を通して、定点監視カメラのライブ映像、及び定点監視カメラの録画像を受信して表示できる。映像閲覧端末は、店舗等の管理者（経営者）に使用される。
これにより、店舗等の管理者（経営者）は、映像閲覧端末を使用することで、遠隔地からも入出金機の映像（ライブ映像、録画像）を閲覧して、入出金機を常に監視できる。また、店舗等の管理者（経営者）は、店舗等に居なくても、入出金機を監視できるので、店舗等の管理者（経営者）が店舗等に不存在であっても、内部犯罪等の動機付けを抑止できる。
【図面の簡単な説明】
【００１５】
【図１】入出金機監視システムの定点監視カメラ、カメラ設置ラック、映像処理装置及び売上入金機（入出金機）を示す前面図である。
【図２】入出金機監視システムの定点監視カメラ、カメラ設置ラック、映像処理装置及び売上入金機（入出金機）を示す左側面図である。
【図３】図１のＡ−Ａ矢視上面図である。
【図４】図１のＢ−Ｂ矢視上面図である。
【図５】入出金機監視システムの映像処理装置、及び映像表示装置を示すブロック図である。
【図６】入出金機監視システムにおいて、映像閲覧端末、ネットワーク、映像処理装置及びＷｅｂ公開サーバを示すブロック図である。
【図７】定点監視カメラの配線を示す図であって、（ａ）は拡大断面図、（ｂ）は図７（ａ）の一部拡大断面図である。
【発明を実施するための形態】
【００１６】
本発明に係る入出金機監視システムについて、図１乃至図７を参照して説明する。
【００１７】
図１乃至図６において、入出金機監視システムＸは、入出金機Ｙを監視する。入出金機Ｙ（又は現金入出金処理機）は、例えば、店舗の売上金を入金する売上入金機（以下、「売上入金機Ｙ」という）である。
【００１８】
売上入金機Ｙは、図１乃至図４に示すように、飲食店、コンビニエンストア、ガソリンスタンド、遊技場、スーパーマーケット、カラオケ店、衣料品販売店、電化販売店、ホームセンター、ショッピングモール、百貨店等の店舗、空港、駅（以下、「店舗等」という）の建造物Ｚに設置される。売上入金機Ｙは、入金機本体１０１を備える。
売上入金機Ｙは、カードリーダ１０２、操作表示部１０３、紙幣投入部１０４、硬貨投入部１０５及び釣銭保管庫１０６等を備える。
【００１９】
売上入金機Ｙにおいて、カードリーダ１０２は、入金機本体１０１の上面１０１Ａに配置される。
操作表示部１０３は、店舗等の管理者（経営者）に操作され、入金機本体１０１の上面１０１Ａに配置される、
紙幣投入部１０４は、売上金の紙幣を投入（入金）するもので、入金機本体１０１の前面１０１Ｂに配置される。
硬貨投入部１０５は、売上金の硬貨を投入（入金）するもので、入金機本体１０１の上面１０１Ａに配置される。
釣銭保管庫１０６は、店舗等で使用する釣銭を保管するもので、入金機本体１０１内に配置される。釣銭保管庫１０６は、入金機本体１０１の前方側に引出される。
【００２０】
売上入金機Ｙにおいて、入金機本体１０１は、店舗等の建造物Ｚ内の床Ｚ２に設置される。入金機本体１０１は、図１乃至図４に示すように、例えば、背方面１０１Ｃを建造物Ｚ（店舗）の壁Ｚ１に当接して設置される。入金機本体１０１は、左右面１０１Ｄ，１０１Ｅ側にパネル１１１Ａ、１１１Ｂを有し、各パネル１１１Ａ，１１１Ｂは入金機本体１０１の上面１０１Ａから上方側に延出される。
【００２１】
店舗等の管理者（経営者）は、管理カードをカードリーダ１０２にかざして売上入金機Ｙにアクセスし、操作表示部１０３で入金操作する。続いて、店舗等の管理者は、紙幣投入部１０４に売上金の紙幣を投入し、硬貨投入部１０５に売上金の硬貨を投入して、売上金を売上入金機Ｙに入金する。売上金の紙幣は、入金機本体１０１内の紙幣カセット（図示しない）に収納され、売上金の硬貨は、入金機本体１０１内の硬貨カセット（図示しない）に収納される。売上入金機Ｙは、売上金情報等を管理警備会社に送信する。
店舗等の管理者は、必要に応じて、釣銭保管庫１０６を入金機本体１０１の前方側に引出して、釣銭を取出す。
警備会社の搬送担当者は、一定期間毎に紙幣カセット（図示しない）及び硬貨カセット（図示しない）を交換して売上金を回収する。また、警備会社の搬送担当者は、必要に応じて、釣銭を入金機本体１０１に補充して、売上入金機Ｙは釣銭を釣銭保管庫１０６に収納する。
【００２２】
入出金機監視システムＸは、定点監視カメラ１、カメラ設置ラック２、映像処理装置３及び映像表示装置５を含んで構成される。
【００２３】
定点監視カメラ１は、一定の撮影範囲の映像を出力する。定点監視カメラ１は、売上入金機Ｙの上面１０１Ａに対峙され、売上入金機Ｙの上方に間隔を隔てて設置される。
定点監視カメラ１は、撮影範囲について、売上入金機Ｙ周囲を含む売上入金機Ｙに設定する。撮影範囲は、例えば、売上入金機Ｙの上面１０１Ａ（カードリーダ１０２、操作表示部１０３、硬貨投入部１０４）、売上入金機Ｙの前面１０Ｂ（紙幣投入部１０４）及び金銭保管庫１０６の映像、及び売上入金機１０１の前面１０１Ｂ周囲、左右面１０１Ｄ、１０１Ｅ周囲の映像を撮影できる範囲に設定することが好ましい。
【００２４】
カメラ設置ラック２は、図１乃至図３に示すように、売上入金機Ｙの上方に配置される。カメラ設置ラック２は、定点監視カメラ１を売上入金機Ｙの上方に設置する。
カメラ設置ラック２は、ラック本体６及びラック支持体７で構成される。
【００２５】
ラック本体６は、売上入金機Ｙの上方に配置される。ラック本体６は、カメラ設置平板８、左右側平板９，１０、及びカメラ支持軸１１を備える。
カメラ設置平板８は、表平面８Ａ、裏平面８Ｂ、前側面８Ｅ及び背側面８Ｆを有し、裏平面８Ｂは売上入金機Ｙの上面１０１Ａに対峙される。
カメラ設置平板８は、売上入金機Ｙの上面１０１Ａに間隔を隔てて上方に位置し、表平面８Ａ及び裏平面８Ｂを売上入金機Ｙの上面１０１Ａに平行配置する。
カメラ設置平板８は、売上入金機Ｙの上方において、売上入金機Ｙの背面１０１Ｃ側から前面１０１Ｂ近傍、例えば、操作表示部１０３上まで延出される。カメラ設置平板８において、前側面８Ｅ側は上方に折曲げられる。
カメラ設置平板８は、売上入金機Ｙの上方において、売上入金機Ｙの左右面１０１Ｄ，１０１Ｅ間に配置される。
左右側平板９，１０は、カメラ設置平板８の左右端に配置され、カメラ設置平板８に一体形成される。
左右側平板９，１０は、カメラ設置平板８の表裏平面８Ａ，８Ｂに直交して、売上入金機Ｙ側に延出される。左右側平板９，１０は、例えば、三角形板に形成され、カメラ設置平板８の背側面８Ｆから前側面８Ｅに向けて先細りする。
カメラ設置軸１１は、カメラ設置平板８の前側面８Ｅ側に配置され、カメラ設置平板８に固定される。カメラ設置軸１１は、カメラ設置平板８の裏平面８Ｂから売上入金機Ｙ側に延出される。カメラ設置軸１１は、カメラ設置平板８の左右端間の中央に配置される。
カメラ設置ラック２において、定点監視カメラ１は、ラック本体６（カメラ設置平板８）及び売上入金機Ｙの上面１０１Ａ間に配置される。
ラック本体６は、定点監視カメラ１をカメラ設置軸１１に支持して、定点監視カメラ１を売上入金機Ｙ（上面１０１Ａ）の上方に設置する。カメラ設置軸１１は、定点監視カメラ１のパン、チルト、ズームを調整自在として定点監視カメラ１を支持する。定点監視カメラ１は、駆動装置（図示しない）を備え、駆動装置でパン、チルト、ズームを調整する。
【００２６】
ラック支持体７は、ラック本体６を支持して、店舗等の建造物Ｚに取付けられる。ラック支持体７は、例えば、左右側支持棒１２，１３、及び上下側固定平板１４，１５を備える。
左右側支持棒１２，１３は、例えば中空四角管で形成され、ラック設置平板８の背側面８Ｆに配置される。左右側支持棒１２，１３は、カメラ設置平板８の左右側面８Ｃ，８Ｄ側に配置され、カメラ設置平板８及び左右側平板９，１０を支持して固定する。
上下側固定平板１４，１５は、左右側支持棒１２，１３の上下に位置して、左右側支持棒１２，１３間に延出される。上下固定平板１４，１５は、各支持棒１２，１３の背面に取付け固定される。上下側固定平板１４，１５は、複数の取付穴１６，１６，…を有する。各取付穴１６，１６，…は、左右側支持棒１２，１３間において、間隔を隔てて並列され、上下側固定平板１４，１５を前後に貫通する。
【００２７】
カメラ設置ラック２は、各取付穴１６，１６，…にネジ等（図示しない）を挿入し、ネジ等（図示しない）を店舗等の建造物Ｚの壁Ｚ１に螺着してラッチ支持体７を取付ける。このとき、カメラ設置ラック２は、定点監視カメラ１を入金機本体１０１の左右面１０１Ｄ，１０１Ｅ間の中央に配置して、ラック支持体７（上下固定平板１４，１５）を建造物Ｚの壁Ｚ１に取付ける。また、定点監視カメラ１は、店舗等の管理者、従業員等が直接触れることのできない高さに設置される。更に、定点監視カメラ１のパン、チルトを調整して、撮影範囲を設定する。
これにより、カメラ設置ラック２は、売上入金機Ｙ（上面１０１Ａ）の上方に配置され、定点監視カメラ１を売上入金機Ｙの上方に設置する。
【００２８】
映像処理装置３は、図１乃至図３に示すように、例えば、カメラ設置ラック２のラック本体６上に設置される。
映像処理装置３は、図５に示すように、定点監視カメラ１に例えば、配線（図示しない）を通して接続され、撮影範囲の映像を処理する。映像処理装置３は、映像制御手段２１、映像記憶手段２２及び操作手段２３を備える。
映像制御手段２１は、例えばＣＰＵ（Central  Processing  Unit／中央演算処理装置）で構成され、映像記憶手段２２及び操作手段２３に接続される。
映像制御手段２３は、定点監視カメラ１のライブ映像を入力して、ライブ映像を映像表示装置５に送信（出力）する。映像制御手段２１は、定点監視カメラ１からライブ映像を入力して、録画像として映像記憶手段２２に記憶する。
映像制御手段２１は、映像記憶手段２２から録画像を読み出して、録画像を映像表示装置５に送信（出力）する。
また、映像制御手段２１は、操作画像を映像記憶手段２２から読み出して、映像表示装置５に送信（出力）する。
【００２９】
映像記憶手段２２は、図５に示すように、映像制御手段２１に接続される。映像記憶手段２２は、例えば、店舗コード（店舗名）及び撮影日時に対応して、定点監視カメラ１の映像を記憶する。撮影日時とは、定点監視カメラ１における映像の出力時、即ち撮影年月日及び時間（時分秒）である。
また、映像記憶手段２２は、操作画像（初期画像）を記憶する。
【００３０】
操作手段２３は、図５に示すように、映像制御手段２１に接続され、例えばマウス等で構成される。操作手段２３は、映像表示装置５に表示される操作画像（操作画面）にて、ライブ映像又は録画像の選択操作等を入力する。
【００３１】
映像表示装置５は、例えば、売上入金機Ｙから離れた店舗等の管理室に配置される。
映像表示装置５は、図５に示すように、例えば液晶ディスプレイ等で構成され、映像処理装置３（映像制御手段２１）に例えば、配線（図示しない）を通して接続される。
映像表示装置５は、操作画像を受信（入力）して操作画像を表示する。映像表示装置５は、定点監視カメラ１のライブ映像、録画像を受信して、ライブ映像、録画像を表示する。
【００３２】
入出金機監視システムＸにおいて、店舗等の建造物Ｚの管理者（経営者）は、定点監視カメラ１、映像処理装置３及び映像表示装置５の電源をＯＮする。
映像処理装置３において、映像制御手段２１は、映像記憶手段２２から操作画像を読み出して、映像表示装置５に送信（出力）する。映像表示装置５は、操作画像を受信（入力）すると、操作画像（操作画面）を表示する。
定点監視カメラ１は、撮影範囲の映像（ライブ映像）を映像処理装置３に送信し、映像処理装置３において、映像制御手段２１は、ライブ映像を録画像として映像記憶手段２２に記憶する。
【００３３】
店舗等の建造物Ｚの管理者は、操作手段２３を操作して、映像表示装置５の操作画像（操作画面）に対してライブ映像閲覧、録画像閲覧を選択する。
例えば、ライブ映像閲覧を選択すると、映像制御手段２１は、定点監視カメラ１のライブ映像を映像表示装置５に送信（出力）して、映像表示装置５に撮影範囲のライブ映像を表示する。また、録画像閲覧を選択して、撮影日時を指定すると、映像制御手段２１は、指定された撮影日時の録画像を映像記憶手段２２から読み出して、映像表示装置５に撮影範囲の録画像を表示する。
これにより、店舗等の建造物Ｚの管理者（経営者）は、売上入金機Ｙについて、撮影範囲のライブ映像及び録画像を閲覧できる。
【００３４】
また、店舗等の建造物Ｚの管理者（経営者）は、図５に示すように、操作手段２３を操作して、定点監視カメラ１のパン、チルト、ズームを入力すると、映像制御手段２１は、定点監視カメラ１の駆動装置（図示しない）を駆動して、定点監視カメラ１のパン、チルト、ズームを変更する。これにより、店舗等の建造物Ｚの管理者は、撮影範囲で定点監視カメラ１の姿勢、ズーム（倍率）を変更できる。
【００３５】
入出金機監視システムＸでは、図６に示すように、映像閲覧端末５１及び映像処理装置３をネットワークＷＡＮで接続して、遠隔において、定点監視カメラ１のライブ映像、録画像を閲覧する構成も採用できる。
【００３６】
図６において、映像閲覧端末５１は、例えば、店舗等の建造物Ｚの管理者（経営者）が使用する。映像閲覧端末５１は、パーソナルコンピュータ、携帯情報端末（Personal  Digital  Assistant）等である。携帯情報端末（ＰＤＡ）には、スマートフォン、タブレット端末を含む。
【００３７】
映像閲覧端末５１は、インターネット等のネットワークＷＡＮ（Wide  Area  Network）を通して映像処理装置３に接続される。
映像閲覧端末５１は、図６に示すように、端末制御手段５２、端末表示手段５３及び端末操作手段５４等を備える。端末制御手段５２は、例えばＣＰＵ（Central  Processing  Unit／中央演算処理装置）で構成され、映像処理装置３から定点監視カメラ１のライブ映像、録画像を受信する。
【００３８】
端末表示手段５３は、例えば液晶ディスプレイで構成され、端末制御手段５２に接続される。端末表手段５３は、定点監視カメラ１のライブ映像、録画像を表示する。
【００３９】
端末操作手段５４は、例えばタッチパネル等で構成され、端末表示手段５３に配置される。端末操作手段５４は端末制御手段５２に接続される。
【００４０】
店舗等の建造物Ｚの管理者（経営者）は、図６に示すように、映像閲覧端末５１の端末操作手段５３を操作して、Ｗｅｂ公開サーバＳＢにアクセスする。Ｗｅｂ公開サーバＳＢは、入出金機監視システムＸを管理するシステム管理会社、例えば警備会社に帰属する。
Ｗｅｂ公開サーバＳＢは、映像閲覧プログラム（閲覧用アプリケーションソフト）を映像閲覧端末５１にアップロード（送信）する。
映像閲覧端末５１は、Ｗｅｂ公開サーバＳＢから映像閲覧プラグラムをダウンロード（受信）する。
【００４１】
続いて、店舗等の建造物Ｚの管理者（経営者）は、端末操作手段５４を操作し、映像処理装置３にアクセスする。端末制御手段５２は、映像閲覧プログラム（閲覧用アプリケーションソフト）に従って、ネットワークＷＡＮを通して映像処理装置３に接続される。
【００４２】
店舗等の建造物Ｚの管理者は、端末操作手段５４を操作してライブ映像閲覧を選択すると、端末制御手段５２は、ライブ映像要求信号を映像処理装置３に送信する。
映像処理装置３において、映像制御手段２１は、ライブ映像要求信号を受信すると、定点監視カメラ１のライブ映像を映像閲覧端末５１に送信する。
映像閲覧端末５１において、端末制御手段５２は、定点監視カメラ１のライブ映像を受信すると、端末表示手段５３に撮影範囲のライブ映像を表示する。
【００４３】
店舗等の建造物Ｚの管理者は、端末操作手段５４を操作して録画像閲覧を選択し、映像日時を指定すると、端末制御手段５２は、録画像要求信号及び撮影日時信号を映像処理装置３に送信する。
映像処理装置３において、映像制御手段２１は、録画要求信号及び撮影日時信号を受信すると、撮影日時信号に基づき、録画像を映像記憶手段２２から読み出して、指定された撮影日時の録画像を映像閲覧端末５１に送信する。
映像閲覧端末５１において、端末制御手段５２は、定点監視カメラ１の録画像を受信すると、端末表示手段５３に撮影範囲の録画像を表示する。
これにより、店舗等の建造物Ｚの管理者（経営者）は、店舗等の遠隔地から売上入金機Ｙの映像（撮影範囲のライブ映像、録画像）を閲覧でき、店舗等の建造物Ｚの遠隔地において、売上入金機Ｙを映像によって監視できる。
【００４４】
入出金機監視システムＸでは、店舗等の建造物Ｚの経営者が同一のチェーン店（複数の店舗等の建造物Ｚ）の売上入金機Ｙに、定点監視カメラ１、カメラ設定ラック２、映像処理装置３及び映像表示装置５を設置して、各店舗等の売上入金機Ｙの映像を閲覧する構成も採用できる。
【００４５】
図６において、映像閲覧端末５１は、ネットワークＷＡＮを通して複数の映像処理装置３，３，…（複数の店舗等の建造物Ｚの映像処理装置３）に接続される。
店舗等の建造物Ｚの管理者（経営者）は、端末操作手段５４を操作して、任意の複数店舗等の映像処理装置３，３，…にアクセスする。
映像閲覧端末５１において、端末制御手段５１は、映像閲覧プログラム（閲覧用アプリケーションソフト）に従って、指定された複数店舗等の建造物Ｚの映像処理装置３，３，…に接続される。
続いて、店舗等の管理者は、端末操作手段５４を操作して、ライブ映像閲覧を選択すると、端末制御手段５２は、各店舗の建造物Ｚの映像処理装置３，３，…にライブ映像要求信号を送信する。
【００４６】
各映像処理装置３，３，…において、映像制御手段２１は、ライブ映像要求信号を受信すると、定点監視カメラ１のライブ映像を映像閲覧端末５１に送信する。
映像閲覧端末５１において、端末制御手段５２は、各店舗等の建造物Ｚの定点監視カメラ１，１，…のライブ映像を受信すると、各店舗等の建造物Ｚについて撮影範囲のライブ映像を端末表示手段５３に表示する。
端末表示手段５３は、各店舗コード（店舗名）を表示し、更に各店舗コード（店舗名）に対応付けてライブ映像を分割して表示する。
【００４７】
また、店舗等の建造物の管理者は、端末操作手段５４を操作して、録画像閲覧を選択し、及び撮影日時を指定すると、端末制御手段５２は、各店舗等の建造物Ｚの映像処理装置３，３，…に録画像要求信号及び撮影日時信号を送信する。
【００４８】
各店舗等の建造物Ｚの映像処理装置３，３，…において、映像制御手段２１は、録画像要求信号及び撮影日時信号を受信すると、撮影日時信号に基づき、指定された撮影日時の録画像を映像記憶手段２２から読み出して、映像閲覧端末５１に送信する。
【００４９】
映像閲覧端末５１において、端末制御手段５２は、各店舗等の建造物Ｚの定点監視カメラ１，１，…の録画像を受信すると、各店舗等の建造物Ｚについて撮影範囲の録画像を端末表示手段５４に表示する。
端末表示手段５４は、各店舗コード（店舗）を表示し、更に各店舗コード（店舗名）に対応付けて録画像を分割して表示する。
これにより、店舗等の建造物Ｚの管理者（経営者）は、店舗等の建造物Ｚの遠隔地から複数の店舗等の売上入金機Ｙを映像によって監視できる。
店舗等の建造物Ｚの管理者（経営者）は、映像閲覧端末を使用することで、遠隔地からも売上入金機Ｙの映像（ライブ映像、録画像）を閲覧して、売上入金機Ｙを常に監視できる。また、店舗等の建造物Ｚの管理者（経営者）は、店舗等に居なくても、売上入金機Ｙを監視できるので、店舗等の建造物Ｚの管理者（経営者）が店舗等に不存在であっても、内部犯罪等の動機付けを抑止できる。
【００５０】
図６において、店舗等の建造物Ｚの管理者（経営者）は、映像閲覧端末５１の端末操作手段５４を操作するとで、定点監視カメラ１のパン、チルト及びズームを設定し、端末制御手段５３はパン信号、チルト信号、ズーム信号を映像処理装置３に送信する。
映像処理装置３において、映像制御手段２１は、パン信号、チルト信号、ズーム信号を受信すると、定点監視カメラ１の駆動装置（図示しない）を駆動して、パン、チルト、ズームを変更する。
これにより、店舗等の建造物Ｚの管理者は、遠隔地においても定点監視カメラ１の撮影範囲で定点監視カメラ１の姿勢、ズーム（倍率）を変更できる。
【００５１】
入出金機監視システムＸにおいて、カメラ設定ラック２は、図７に示すように、定点監視カメラ１の配線１Ａをカメラ設置軸１１内及び配線箱体１８内に挿通して、映像処理装置３に接続する構成も採用できる。
【００５２】
図７において、配線箱体１８は、カメラ設置平板８の裏平面８Ｂに固定され、裏平面８Ｂとで密封の配線空間１８Ｋを区画する。配線箱体１８は、カメラ設置平板１８の前側面８Ｅ側から背側面８Ｆに延出される。また、配線箱体１８は、複数の挿通穴１９Ａ，１９Ｂを有し、挿通穴１９Ａは配線箱体１８の前側面１８Ａ側で下方に開口する。挿通穴１９Ｂは配線箱体１８の背側面１８Ｂに開口する。
【００５３】
図７において、カメラ設置軸１１は、例えば円筒管軸に形成され、カメラ設置平板８の裏平面８Ｂ側において、配線箱体１８に固定される。カメラ設置軸１１は、軸上端を配線箱体１８の挿通穴１９Ａに連通する。
【００５４】
定点監視カメラ１の配線１Ａは、図７に示すように、カメラ設定軸１１内に配置され、更に挿通穴１９Ａを通して配線箱体１８の配線空間１８Ｋ内に配置される。更に、配線１Ａは、挿通穴１９Ｂから配線箱体１８外側に配置され、カメラ設置平体８の背側面８Ｆから映像処理装置３に接続される。
これにより、配線１Ａをカメラ設置軸１１内及び配線箱体１８内で保護しつつ、カメラ設置平板８の背側面８Ｆから映像処理装置３に接続できる。
【００５５】
このように、入出金機監視システムＸによれば、売上入金機Ｙ周囲、及び売上入金機Ｙを映像で監視できる。特に、売上入金機Ｙにおいて、売上金の入金又は釣銭の取出しに関連する、カードリーダ１０２、操作表示部１０３、紙幣投入部１０４、硬貨投入部１０５及び金銭保管庫１０６、及びこれら周囲を映像によって監視できるので、犯罪等の動機付けを抑止できる。
【００５６】
また、カメラ設置ラック２を、例えば店舗等の建造物Ｚの壁Ｚ１に取付けるだけで、定点監視カメラ１を売上入金機Ｙの上方に設置できる。これにより、既に店舗等の建造物Ｚに設置された売上入金機Ｙ、及び新たに設置する売上入金機Ｙに対して、定点監視カメラ１を簡単な構成で設置できる。
【００５７】
入出金機監視システムＸにおいて、定点監視カメラ１を売上入金機Ｙの上方に設置する構成として、カメラ設置ラック２を説明したが、これに限定されず、定点監視カメラ１を売上入金機Ｙの上方に設置でき、更に撮影範囲に設定できれば、どの様な構成であっても良い。
【００５８】
入出金機監視システムＸおいて、入出金機Ｙは、売上金を入金する売上入金機に限定されず、売上金等の現金を入出金できる現金入出金機に適用できる。現金入出金機は、売上入金機と同様な構成に加えて、紙幣や硬貨を出金する出金部を有し、定点監視カメラは出金部を含めて撮影範囲とする。現金入出金機においても、図１乃至図７で説明したと同様、犯罪等の動機付けを抑止できる。
【産業上の利用可能性】
【００５９】
本発明は、店舗等の建造物に設置される入出金機を監視するのに最適である。
【符号の説明】
【００６０】
Ｘ  入出金機監視システム
Ｙ  売上入金機（入出金機）
Ｚ  建造物
１  定点監視カメラ
２  カメラ設定ラック
３  映像処理装置
５  映像表示装置
【図１】
2015104103.tif 000003
【図２】
2015104103.tif 000004
【図３】
2015104103.tif 000005
【図４】
2015104103.tif 000006
【図５】
2015104103.tif 000007
【図６】
2015104103.tif 000008
【図７】
2015104103.tif 000009